(57)【特許請求の範囲】
【請求項１】
挿入管部の先端を係止させるロックリングを内周面に備えた耐震継手の受口管部へ仮設配管を接続するために用いられる配管接続用アダプタであって、
前記受口管部よりも大径のフランジと、そのフランジの一方の面に設けられ、前記受口管部へ圧入可能で、且つ先端が前記ロックリングに達しない長さを有する差込筒と、前記フランジの他方の面に設けられ、前記差込筒内と連通して前記仮設配管を接続可能な接続部と、前記フランジを前記受口管部への押圧状態で固定する固定手段と、を備えたことを特徴とする配管接続用アダプタ。
【請求項２】
固定手段は、受口管部の外周に装着された受けリングとフランジとをボルトで連結するものである請求項１に記載の配管接続用アダプタ。
【請求項３】
接続部を、その内径部が差込筒の内周に接するように前記差込筒の中心から偏心した位置に設けた請求項１又は２に記載の配管接続用アダプタ。
【請求項４】
挿入管部の先端を係止させるロックリングを内周面に備えた耐震継手の受口管部に、請求項１乃至３の何れかに記載の配管接続用アダプタの差込筒を挿入し、固定手段で前記配管接続用アダプタのフランジを前記受口管部に固定して、前記配管接続用アダプタの接続部に仮設配管を接続することを特徴とする耐震継手への仮設配管の接続方法。
【発明の詳細な説明】
【技術分野】
【０００１】
本発明は、受口管部に挿入管部を挿入して接合する耐震継手を採用した配管に、仮設配管を接続するために用いられる配管接続用アダプタと、その配管接続用アダプタを用いて耐震継手へ仮設配管を接続するための方法とに関する。
【背景技術】
【０００２】
水道管やガス管等の配管においては、地震等による外力が作用しても離脱しにくい工夫がなされた耐震継手がよく用いられる。これは、ＮＳ形やＳ形等と称される構造で、拡開した受口管部と、その受口管部に挿入される挿入管部とからなり、受口管部の内周面に凹設した環状溝にシール部材を装着すると共に、奥側のシール部材の内周側にロックリングを装着する一方、挿入管部の先端外周に、受口管部に差し込まれた状態でロックリングの奥側に位置する環状突起を周設した構成となっている（例えば特許文献１、図８参照）。このロックリングと環状突起との係合によって挿入管部の離脱方向への移動が規制され、受口管部と挿入管部との一体性が高められるものである。
【０００３】
【特許文献１】特開２００１−３１７６５９号公報
【発明の開示】
【発明が解決しようとする課題】
【０００４】
ところで、例えば配水管の布設替えを行う場合、図１に示すように、配水管Ａ，Ｂ間に布設されて宅地等への給水管３１を接続した配水管Ｃを、バルブＶ１，Ｖ２を含めて交換するような場合、工事中に長時間の断水を行わないように、先にバルブＶ１，Ｖ２を設置して両バルブ間に仮設配水管３０を接続し、その仮設配水管３０に給水管３１を接続して、宅地等への給水を確保してから配水管Ｃの交換が行われる。
しかし、バルブＶ１，Ｖ２として、上記耐震継手の受口管部を両端に備えた周知のソフトシール弁を採用すると、これに合わせた挿入管部を備えた仮設配水管３０を接続することになるが、上記ロックリングと環状突起との係合によって挿入管部の取り外しが簡単に行えないため、上記特許文献１に開示されるような管脱着装置を用いて挿入管部の着脱を行うか、若しくは仮設配水管として一部切り管を接続し、その先から布設を行う必要がある。従って、布設替えに係る作業に時間や手間が掛かり、作業効率が悪くなる上、管脱着装置を耐震継手に装着して使用するスペースや、仮設配水管として切り管を布設するためのスペースを確保するために作業ピットも大きくなり、工事範囲の拡大にも繋がってしまう。
【０００５】
そこで、本発明は、耐震継手の受口管部にも短時間で簡単に仮設配管を着脱可能とし、作業効率の向上を図ると共に、作業ピットも省スペース化できる配管接続用アダプタと、耐震継手への仮設配管の接続方法とを提供することを目的としたものである。
【課題を解決するための手段】
【０００６】
上記目的を達成するために、請求項１に記載の発明は、挿入管部の先端を係止させるロックリングを内周面に備えた耐震継手の受口管部へ仮設配管を接続するために設けられる配管接続用アダプタであって、受口管部よりも大径のフランジと、そのフランジの一方の面に設けられ、受口管部へ圧入可能で、且つ先端がロックリングに達しない長さを有する差込筒と、フランジの他方の面に設けられ、差込筒内と連通して仮設配管を接続可能な接続部と、フランジを受口管部への押圧状態で固定する固定手段と、を備えたことを特徴とするものである。
請求項２に記載の発明は、請求項１の目的に加えて、フランジを簡単且つ確実に固定するために、固定手段は、受口管部の外周に装着された受けリングとフランジとをボルトで連結する構成としたものである。
請求項３に記載の発明は、請求項１又は２の目的に加えて、仮設配管着脱時の空気や泥等の混入防止や、既設配水管からの赤水の排出等の管洗浄を効果的に行うために、接続部を、その内径部が差込筒の内周に接するように差込筒の中心から偏心した位置に設けたものである。
【０００７】
上記目的を達成するために、請求項４に記載の発明は、耐震継手への仮設配管の接続方法であって、挿入管部の先端を係止させるロックリングを内周面に備えた耐震継手の受口管部に、請求項１乃至３の何れかに記載の配管接続用アダプタの差込筒を挿入し、固定手段で配管接続用アダプタのフランジを受口管部に固定して、配管接続用アダプタの接続部に仮設配管を接続することを特徴とするものである。
【発明の効果】
【０００８】
請求項１及び４に記載の発明によれば、配管接続用アダプタが受口管部へ短時間で簡単に着脱可能となるため、管脱着装置を用いることなく仮設配管を容易に設置可能となり、作業効率が向上する。また、作業ピットも省スペースとなるので、工事区間が最小限で済み、工事期間の短縮も期待できる。
請求項２に記載の発明によれば、請求項１の効果に加えて、受口管部の形状を利用してフランジを簡単且つ確実に固定することができる。
請求項３に記載の発明によれば、請求項１又は２の効果に加えて、接続部が差込筒の上側となるように配管接続用アダプタを接続すれば、空気が混入しても接続部側で容易に排除でき、泥等の混入も防止可能となる。逆に、接続部が差込筒の下側となるように配管接続用アダプタを接続すれば、既設配水管からの赤水の排出等管洗浄が容易に行える。
【発明を実施するための最良の形態】
【０００９】
以下、本発明の実施の形態を図面に基づいて説明する。
図２は、本発明の配管接続用アダプタ（以下単に「アダプタ」という。）の一例を示す説明図で、アダプタ１は、円形のフランジ２の一方の面に差込筒３を同心で突設し、他方の面に、手動開閉弁５を備えて差込筒３内と連通する接続部としての接続管４を突設してなる。接続管４は、その内径部が差込筒３の内周に接するように差込筒３の中心から偏心した位置に設けられている。
また、フランジ２の外周寄りには、４つのネジ孔６，６・・が周方向へ等間隔で配設され、その内側にも、点対称位置に２つのネジ孔７，７が形成されている。
【００１０】
図３は、このアダプタ１をソフトシール弁の受口管部２０に接続した状態を示すもので、受口管部２０は、内周に凹設した環状溝２１にゴム輪２２が収容され、そのゴム輪２２の奥側に凹設した第２環状溝２３内に、ゴムリング２４とロックリング２５とを夫々収容した周知のＮＳ形となっている。ここに挿入管部を挿入すると、挿入管部の先端外周に設けた突起がロックリング２５と係止して抜け止め装着されるものである。
ここで、アダプタ１の差込筒３は、受口管部２０のゴム輪２２に圧入される外径を有したものであるが、長さは、接続状態で先端がゴム輪２２を越えるが、ロックリング２５までは達しない長さとなっている。また、先端外周には、圧入時のゴム輪２２との干渉を軽減するために面取部８が形成されている。
【００１１】
９は、一対の半割部を組み合わせて互いにボルトで一体化される受けリングで、受口管部２０の外周に凹設されたくびれ部２６の位置で組み付けられ、周方向へ等間隔に貫通させた４本のボルト１０，１０・・をフランジ２に設けたネジ孔６にねじ込むことで、アダプタ１のフランジ２を受口管部２０の端部に押圧して受口管部２０に固定可能となる。この受けリング９とボルト１０とがフランジ２の固定手段となり、アダプタ１に加わる止水圧を受けることができる。
【００１２】
以上の如く構成されたアダプタ１は、図１に示したような配水管Ｃの布設替えを行う場合、まず、配水管Ａ，Ｂを断水させてバルブＶ１，Ｖ２としてソフトシール弁を設置した後、各ソフトシール弁の受口管部２０，２０にアダプタ１，１を接続する。このとき、接続管４が上側となる回転位置で差込筒３を受口管部２０の内径にあてがって押し込んだ後、受口管部２０のくびれ部２６に受けリング９を取り付けて、ボルト１０を受けリング９に貫通させてアダプタ１のフランジ２にねじ込む。このねじ込みによって差込筒３がさらに押し込まれてフランジ２が受口管部２０の端部に当接し、アダプタ１の取付は完了する。なお、アダプタ１の取付の際、差込筒３が押し込まれやすいように予め差込筒３の外周に潤滑剤を塗布しておくのが望ましい。
【００１３】
そして、両アダプタ１，１の接続管４，４間に仮設配水管３０を接続して同図に点線で示すように各宅地等への給水管を接続し、配水管Ａ，Ｂの断水を解除してソフトシール弁を開け、手動開閉弁５を開弁させれば、各宅地等への給水が行われる。こうして仮設配水管３０を接続している状態で配水管Ｃを新管に交換する。
なお、各アダプタ１において接続管４は差込筒３の上側で接続されているので、取付の際に空気が混入しても接続管４側で容易に排除でき、泥等の混入も防止される。逆に、接続管４が差込筒３の下側となるようにアダプタ１を接続すれば、既設配水管からの赤水の排出等管洗浄が容易に行える。
【００１４】
新管の設置後は、ソフトシール弁及び各アダプタ１の手動開閉弁５を閉弁させた後、給水管３１を新管に付け替え、各アダプタ１の接続管４から仮設配水管３０を取り外すと共に、ボルト１０をフランジ２から取り除き、受けリング９を取り外してアダプタ１を受口管部２０から抜き取る。このとき、フランジ２のネジ孔７，７にボルトを螺合させ、ボルトを利用してフランジ２を引っ張るようにすれば、アダプタ１を容易に受口管部２０から抜き取ることができる。後は新管と受口管部２０とを切り管や継輪等を用いて連結すればよい。
【００１５】
このように、上記形態によれば、受口管部２０よりも大径のフランジ２と、そのフランジ２の一方の面に設けられ、受口管部２０へ圧入可能で、且つ先端がロックリング２５に達しない長さを有する差込筒３と、フランジ２の他方の面に設けられ、差込筒３内と連通して仮設配水管３０を接続可能な接続管４と、フランジ２を受口管部２０への押圧状態で固定する受けリング９及びボルト１０とを備えたアダプタ１を用いたことで、受口管部２０へ短時間で簡単に着脱可能となる。よって、管脱着装置を用いることなく仮設配水管３０を容易に設置可能となり、作業効率が向上する。また、作業ピットも省スペースとなるので、工事区間が最小限で済み、工事期間の短縮も期待できる。
特に、フランジ２の固定手段を、受口管部２０の外周に装着された受けリング９とフランジ２とをボルト１０で連結する構成としたことで、受口管部２０の形状を利用してフランジ２を簡単且つ確実に固定することができる。
【００１６】
なお、フランジの固定手段は、上記形態に限定するものではなく、例えば受けリングを、図４（Ａ）に示すように、半円弧状の板体１２の端部側面に同心円弧状の連結板１３を溶接し、連結板１３を含む等間隔位置に透孔１４，１４・・を設けた半割リング１１，１１を、同図（Ｂ）のように一対組み合わせて受けリング９ａを形成する構造とすれば、受口管部２０へ組み付けて一方の連結板１３と他方の板体１２の透孔１４，１４を貫通させてボルト１０をフランジ２へねじ込めば、半割リング１１，１１の一体化と受けリング９ａの装着とが同時に行え、半割リング１１，１１同士を先に組み付けてからフランジと連結する必要がなくなる。
【００１７】
また、上記形態のようにボルトで連結するものに限らず、図５のようにフランジ２に基端を貫通させたフック棒１５，１５・・の先端を受けリング９や９ａの透孔に掛止させ、基端側のナット１６の締め込みでフランジ２を受口管部２０へ押圧させる等の設計変更が可能である。この場合、逆に受けリング側にフック棒１５を設けて先端をフランジ２に掛止させるようにしてもよい。
さらに、受けリングは、受口管部にくびれ部がない場合は奥側の小径部に対して装着しても差し支えない。このとき、小径部の外面が傾斜している場合は受けリングの内面を当該傾斜に合わせてテーパ状にするのが望ましい。
但し、ソフトシール弁の場合は図６に示すように受口管部２０の外面に環状部２７が設けられていることが多いので、この環状部２７を利用してフック棒１５を係止させるようにすれば、受けリングが不要となり、より作業が楽となる。
【００１８】
一方、アダプタに設ける接続管も、１本に限らず、径やタイプが異なる複数の接続管を設け、必要に応じて任意の接続管を選択できるようにしても差し支えない。勿論手動開閉弁の省略も可能である。
例えば図５に示すアダプタ１では、手動開閉弁５がある接続管４とない接続管４ａとを２本設けたもので、この場合も各接続管４，４ａの内径部が差込筒３の内周に接する位置に設けているため、使用する接続管が差込筒３の上側に位置するように装着すればよい。
さらに、接続部としては上記接続管に限らず、例えばアダプタのフランジに設けたネジ孔として、仮設配水管を直接ねじ込み接続させる等、他の形態も採用できる。
【００１９】
その他、上記形態ではソフトシール弁の受口管部に仮設配水管を接続する場合で説明しているが、ソフトシール弁に限らず、耐震継手の受口管部であれば他の配管においても本発明のアダプタは採用可能である。勿論耐震継手としてはＮＳ形以外にＳ形等の他のタイプでも差し支えなく、耐震継手のタイプに合わせて差込筒の径や長さを変更すればよい。
一方、上記形態では、水道管において仮設配水管を用いる場合で説明しているが、ガス管において仮設配管を用いる場合も本発明の適用は可能である。
【図面の簡単な説明】
【００２０】
【図１】配水管の布設替えを示す説明図である。
【図２】アダプタの説明図で、（Ａ）が側面、（Ｂ）が背面を夫々示す。
【図３】アダプタを受口管部に装着した状態を示す説明図である。
【図４】（Ａ）は変更した半割リングの側面及び正面を、（Ｂ）は受けリングの正面を夫々示す。
【図５】変更例のアダプタを受口管部に装着した状態を示す説明図である。
【図６】フック棒を利用したアダプタの装着状態を示す説明図である。
【符号の説明】
【００２１】
１・・配管接続用アダプタ、２・・フランジ、３・・差込筒、４，４ａ・・接続管、、５・・手動開閉弁、６，７・・ネジ孔、９，９ａ・・受けリング、１０・・ボルト、１５・・フック棒、２０・・受口管部、２６・・くびれ部、３０・・仮設配水管。
【図１】
0004567648.tif 000002
【図２】
0004567648.tif 000003
【図３】
0004567648.tif 000004
【図４】
0004567648.tif 000005
【図５】
0004567648.tif 000006
【図６】
0004567648.tif 000007